(57)【要約】【課題】接続対象部材間が狭いような場合であっても接続対象部材への取付けを容易に行うことができ、所期の導電目的を達成することができる導電ゴムコネクタを提供すること。【解決手段】複数の導電性粒子が連続して形成された導電部１２と、当該導電部１２を保持するゴム状弾性体でなるベース部１３とを備え、一方と他方の接続対象部材１，２どうしを、当該導電部１２を通じて導電接続する導電ゴムコネクタ１１について、前記一方と他方の接続対象部材１，２の少なくとも何れか一方に対して接触する突出部１４，１５が形成されており、当該突出部１４，１５にはその表面に円環状に表出する前記導電部１２と、当該導電部１２の内側に表出する非導電性の島状非導電部１６を有することとした。【選択図】図３
2018190685.tif 000002
【特許請求の範囲】
【請求項１】
複数の導電性粒子が連続して形成された導電部と、当該導電部を保持するゴム状弾性体でなるベース部とを備え、一方と他方の接続対象部材どうしを、当該導電部を通じて導電接続する導電ゴムコネクタにおいて、
前記一方と他方の接続対象部材の少なくとも何れか一方に対して接触する突出部が形成されており、当該突出部にはその表面に円環状に表出する前記導電部と、当該導電部の内側に表出する非導電性の島状非導電部を備えることを特徴とする導電ゴムコネクタ。
【請求項２】
前記突出部は前記表面が曲面状表面となる曲面接触部である請求項１記載の導電ゴムコネクタ。
【請求項３】
前記突出部の表面が半球状またはドーム状である請求項１または請求項２記載の導電ゴムコネクタ。
【請求項４】
前記島状非導電部は前記突出部の表面以外の内部部分では導電部に囲まれている請求項１〜請求項３何れか１項記載の導電ゴムコネクタ。
【請求項５】
前記島状非導電部は、前記ゴム状弾性体中における前記導電性粒子が少なく導電性を有しない部位である請求項１〜請求項４何れか１項記載の導電ゴムコネクタ。
【請求項６】
前記突出部が前記一方と他方の接続対象部材の何れか一方に対して接触するものであり、何れか他方に対して接触する接触部には表面が平坦な平坦状表面を有する平坦接触部が形成されている請求項１〜請求項５何れか１項記載の導電ゴムコネクタ。
【請求項７】
請求項１〜請求項６何れか１項記載の導電ゴムコネクタを前記接続対象部材に対して導電接続するように取付ける導電ゴムコネクタの取付け方法であって、
前記接続対象部材に対して前記突出部の表面を滑らせ、当該突出部の中の導電部を前記接続対象部材の接続位置に合わせ、前記突出部の先端からは外れた位置で前記接続対象部材と導電接続する導電ゴムコネクタの取付け方法。
【発明の詳細な説明】
【技術分野】
【０００１】
本発明は、接続対象部材間を導電接続するための導電ゴムコネクタとその取付け方法に関し、主に回路基板とその回路基板を備える機器の筺体との間を導電接続する導電ゴムコネクタとその取付け方法に関する。
【背景技術】
【０００２】
電子機器では、回路基板上の電子部品に溜まった静電気や電磁波のノイズを逃がすアース目的で、回路基板とその回路基板を備える機器の金属製筺体との間に導電ゴムコネクタを挟んで用いることが知られている。例えば、国際公開第２０１５／０２５６６０号（特許文献１）では、スペースが無いところで確実に導電接続させるコネクタとして、電極面を接続対象部材の接続面形状に沿って傾斜又は湾曲させた傾斜湾曲対応面とした技術が記載されている。また、特開２００２−０５７７７２号公報（特許文献２）では、取付け電子部品を機器に取付けるホルダーとして、突出する導電経路の先端を半球状にすることで圧縮荷重低減をする技術（図３）が記載されている。特開２０１０−２４４９９６号公報（特許文献３）では、弾性コネクタとして導電部の両端面を切断面によって構成し、柱軸方向に対して斜行する交叉方向に切断した平坦な傾斜面とした技術（図７）や、円錐の側面のような傾斜面とした技術（図１４）が記載されている。
【先行技術文献】
【特許文献】
【０００３】
【特許文献１】国際公開第２０１５／０２５６６０号
【特許文献２】特開２００２−０５７７７２号公報
【特許文献３】特開２０１０−２４４９９６号公報
【発明の概要】
【発明が解決しようとする課題】
【０００４】
一方、電子機器の小型化、薄型化が進み、機器の筺体内のスペースがより一層少なくなり、回路基板と筐体の間の隙間もまた狭くなっている。こうした状況において機器内への部品の取付けも複雑化しており、導電ゴムコネクタの取付けも容易ではなくなってきている。例えば、回路基板の上に置いた導電ゴムコネクタを筺体で上から挟み込むためには大きな力を要する場合や、そうした作業自体が困難な場合もあり、予め形成された回路基板と筐体との狭い隙間の間に後から導電ゴムコネクタを挿入する必要も生じてきた。
【０００５】
しかしながら、前述の公報に記載された技術はいずれも圧縮荷重を小さくする目的でなされたものであり、導電部を上下方向から真直ぐに圧接して挟んで用いることが想定されて作製されているため、回路基板と筐体との隙間に挿入しようとすると、回路基板や筺体にこすれて折れ曲がる等の不具合が生じ易く、取付け作業が困難であった。また、挿入時に導電部の表面が摩耗して欠けてしまう恐れもあった。
【０００６】
そこで本発明は、機器への取付け易さ、即ち、接続対象部材への取付けを容易に行うことができ、また、接続対象部材間が狭いような場合であって、導電ゴムコネクタを正しく配置することが難しい場合であっても所期の導電目的を達成することができる導電ゴムコネクタを提供することを目的になされたものである。
【課題を解決するための手段】
【０００７】
即ち、本発明は、複数の導電性粒子が連続して形成された導電部と、当該導電部を保持するゴム状弾性体でなるベース部とを備え、一方と他方の接続対象部材どうしを、当該導電部を通じて導電接続する導電ゴムコネクタについて、前記一方と他方の接続対象部材の少なくとも何れか一方に対して接触する突出部が形成されており、当該突出部にはその表面に円環状に表出する前記導電部と、当該導電部の内側に表出する非導電性の島状非導電部を有することを特徴とする導電ゴムコネクタを提供する。
【０００８】
この導電ゴムコネクタは、複数の導電性粒子が連続して形成された導電部と、当該導電部を保持するゴム状弾性体でなるベース部とを備え、一方と他方の接続対象部材どうしを、当該導電部を通じて導電接続するため、例えば、回路基板とその回路基板を備える機器の筺体との間に設けて、これらの接続対象部材間を導電接続することができる。そして、回路基板上の電子部品に溜まった静電気や電磁波のノイズを機器の筐体に逃がすアース目的で用いることができる。
【０００９】
また導電ゴムコネクタは、一方と他方の接続対象部材の少なくとも何れか一方に対して接触する突出部が形成されており、当該突出部にはその表面に円環状に表出する前記導電部と、当該導電部の内側に表出する非導電性の島状非導電部を有するため、突出部に円環状に表出する導電部を通じて接続対象部材と導電接続することができる。そして、この突出部の表面に表出する導電部は、その突出部の先端を除いて表れる円環状部分であるため、導電ゴムコネクタを接続対象部材に対して斜めに接触させることができる。したがって、接続対象部材に対して導電ゴムコネクタを垂直に取付けず、斜めに取付けることもでき、接続対象部材間で導電ゴムコネクタを垂直に正置できない場合であっても所期の導電目的を達成することができる。
【００１０】
前記導電ゴムコネクタは、前記突出部の前記表面が曲面状表面となる曲面接触部に構成できる。突出部を、曲面状表面を有する曲面接触部としたため、接続対象部材間に導電ゴムコネクタを挟む際に予め固定された接続対象部材間に導電ゴムコネクタの曲面状表面を滑らせながら配置させるスライド取付け（または「スライド挿入」ともいう）を行うことができる。
【００１１】
前記導電ゴムコネクタは、前記突出部の表面が半球状またはドーム状に構成できる。突出部の表面を半球状またはドーム状としたため、スライド取付けを行い易く、また、接続対象部材に対して導電ゴムコネクタを傾斜させて接続させる際に滑らかに接続することができ、傾斜角の違いに対する許容性が高い。また、島状非導電部の形成が容易である。
【００１２】
前記導電ゴムコネクタは、前記島状非導電部は前記突出部の表面以外の内部部分では導電部に囲まれているように構成できる。島状非導電部は突出部の表面以外の内部部分では導電部に囲まれており、この構成を導電部側から見れば島状非導電部の部分以外は全体が連続している導電部を形成している。そのため、円環状に表出する導電部の全体が接続対象部材と接触しなくても導電性を確保することができる。
【００１３】
前記導電ゴムコネクタは、前記島状非導電部が、前記ゴム状弾性体中における前記導電性粒子が少なく導電性を有しない部位であるように構成できる。ゴム状弾性体中における導電性粒子が少ないことで導電性を有しない部位を島状非導電部としたため、島状非導電部中に導電性粒子を含有することもできる。そのため、磁性導電性粒子を磁場配向させる方法で島状非導電部を形成することができる。
【００１４】
前記導電ゴムコネクタは、前記突出部が前記一方と他方の接続対象部材の何れか一方に対して接触するものであり、何れか他方に対して接触する接触部には表面が平坦な平坦状表面を有する平坦接触部が形成されているように構成できる。
【００１５】
前記突出部を設けた側と反対側の接続対象部材との接触部には表面が平坦な平坦状表面を有する平坦接触部を形成したため、突出部を設けた側とは反対側においては、従来の導電ゴムコネクタと同様に、接続対象部材に対して略垂直に正置する取付けを行うことができる。そのため、予め平坦接触部を対応する接続対象部材上に配置した後、もう一方の接続対象部材で押圧する取付け方法を採用することもできる。
【００１６】
また本発明は、前記何れかの導電ゴムコネクタを前記接続対象部材に対して導電接続するように取付ける導電ゴムコネクタの取付け方法であって、前記接続対象部材に対して前記突出部の表面を滑らせ、当該突出部の中の導電部を前記接続対象部材の接続位置に合わせ、前記突出部の先端からは外れた位置で前記接続対象部材と導電接続する導電ゴムコネクタの取付け方法を提供する。
【００１７】
本発明では、前記何れかの導電ゴムコネクタを前記接続対象部材に対して導電接続するように取付ける導電ゴムコネクタの取付け方法について、前記接続対象部材に対して前記突出部の表面を滑らせ、当該突出部の中の導電部を前記接続対象部材の接続位置に合わせ、前記突出部の先端からは外れた位置で前記接続対象部材と導電接続するため、予め接続対象部材どうしが固定された隙間に後から導電ゴムコネクタを取付けることができる。
【００１８】
突出部の表面を滑らせるスライド取付けの一例としては、取付け開始時に島状非導電部を接続対象部材に接触させた後、曲面状表面を接続対象部材の表面に対して摺動させて、接続対象部材の所望の導電接続箇所と、導電ゴムコネクタの曲面接触部に表出した円環状の導電部と接続させる方法を挙げることができる。こうしたスライド取付けを行っても突出部の先端からは外れた円環状の導電部で接続対象部材と接続でき所望の導通状態を達成できる。
【発明の効果】
【００１９】
本発明によれば、接続対象部材間に滑らせながら挿入して接続するスライド取付けを行うことができ、スライド取付けにより接続対象部材との間で導電接続をすることができる。また、接続対象部材に対して導電ゴムコネクタを傾斜させて導電接続することができ、あるいは接続対象部材に対して導電ゴムコネクタを曲げて導電接続することができる。
【図面の簡単な説明】
【００２０】
【図１】第１実施形態の導電ゴムコネクタの平面図である。
【図２】図１の導電ゴムコネクタの正面図である。
【図３】図１の導電ゴムコネクタのIII−III線断面図である。
【図４】図１の導電ゴムコネクタを製造する金型の縦断面図である。
【図５】図４の金型に原料組成物を注入した状態の説明図である。
【図６】図４の金型から導電ゴムコネクタを脱型した状態の説明図である。
【図７】曲面接触部と金型の関係を示す一説明図であり、分図７（ａ）は曲面接触部に対応する部分の上型の一断面図であり、分図７（ｂ）はその上型から生じた曲面接触部の正面図と平面図である。
【図８】曲面接触部と金型の関係を示す別の説明図であり、分図８（ａ）は曲面接触部に対応する部分の上型の別の断面図であり、分図８（ｂ）はその上型から生じた曲面接触部の正面図と平面図である。
【図９】図１の導電ゴムコネクタを接続対象部材間に挟んだ状態を説明する説明図である。
【図１０】図１の導電ゴムコネクタを接続対象部材間に挟んだ別の状態を説明する説明図である。
【図１１】第２実施形態の導電ゴムコネクタの平面図である。
【図１２】図１１の導電ゴムコネクタを接続対象部材間に挟んだ状態を説明する説明図である。
【図１３】第３実施形態の導電ゴムコネクタの平面図である。
【図１４】図１３の導電ゴムコネクタが複数結合した状態の導電ゴムコネクタの平面図である。
【図１５】図１４の導電ゴムコネクタを接続対象部材間に挟んだ状態を説明する説明図である。
【発明を実施するための形態】
【００２１】
本発明の導電ゴムコネクタおよびその製造方法について実施形態に基づいて詳しく説明する。各実施形態において重複する部位には同じ符号を付け、また重複する機能、材質、製造方法、作用効果等についてはその説明を省略する。
【００２２】
第１実施形態[図１〜図９]：
本実施形態の導電ゴムコネクタ１１の平面図を図１に、正面図を図２にそれぞれ示す。この導電ゴムコネクタ１１は、一方側と他方側の接続対象部材を導電接続する機能を奏するものであり、複数の導電性粒子が連続して形成された導電部１２と、当該導電部１２を保持するゴム状弾性体でなるベース部１３とを有している。また、図１の上下方向にはそれぞれ接続対象部材に接触させる突起部１４，１５が形成されている。この突起部１４，１５は、導電ゴムコネクタ１１では、図１の上側を仮に一方側とすると、その一方側では曲面状表面１４ａを有する曲面接触部１４となっており、図１の下側を仮に他方側とすると、その他方側では平坦状表面１５ａを有する平坦接触部１５となっている。
【００２３】
ベース部１３はまた、外形が略円柱状の基台部１３ａや、その基台部１３ａから側方に円板状に突出する側出部１３ｂが形成されており、さらに曲面接触部１４や平坦接触部１５の一部もベース部１３である。一方、導電部１４は、複数の導電性粒子が密集、連続して形成されており、導電ゴムコネクタ１１の一方側と他方側で外面に表出し、その部分以外の周囲部分はベース部１３で覆われている。
【００２４】
前記基台部１３ａから一方側に突出した突出部である曲面状接触部１４は、その表面が曲面状表面１４ａ、即ち図１では半球状表面として形成されている。そしてこの曲面状表面１４ａには、図１や図２で示すように、円環状に導電部１２の表面が表出するとともに、その内側であって、曲面状表面１４ａの中央部分に非導電性の島状非導電部１６が表出している。
【００２５】
図３には、導電ゴムコネクタ１１の縦断面図を示す。この図３で示すように、島状非導電部１６は曲面状表面１４ａ以外の部分では導電部１２に囲まれている。換言すれば、導電ゴムコネクタ１１を上下方向に円柱状に貫く導電部１２が、その曲面接触部１４側の中央で島状非導電部１６により妨げられ、曲面状表面１４ａに円環状に表出している。なお、図３は図１のIII−III線断面図であるが、図１の中心を通る縦断面は全て図３と同形状に表れる。
【００２６】
一方、図２で示すように、導電ゴムコネクタ１１の他方側で側出部１３ｂから突出する突出部は、その表面が平坦な平坦接触部１５として形成されている。この平坦接触部１５は、図３で示すように、上下方向に貫く導電部１２が中央に形成され、その周囲をゴム状弾性体でなるベース部１２が覆っており、平坦状表面１５ａには導電部１２が円状に表出している。そのため、この平坦接触部１５には島状非導電部は形成されていない。
【００２７】
次にこれらの各部を構成する原料部材について説明する。ベース部１３や島状非導電部１６は、ゴム状弾性体からなり、その材質としては、天然ゴム、シリコーンゴム、イソプレンゴム、ブタジエンゴム、アクリロニトリルブタジエンゴム、１，２−ポリブタジエン、スチレン−ブタジエンゴム、クロロプレンゴム、ニトリルゴム、ブチルゴム、エチレン−プロピレンゴム、クロロスリホンゴム、ポリエチレンゴム、アクリルゴム、エピクロルヒドリンゴム、フッ素ゴム、ウレタンゴム、スチレン系熱可塑性エラストマー、オレフィン系熱可塑性エラストマー、エステル系熱可塑性エラストマー、ウレタン系熱可塑性エラストマー、アミド系熱可塑性エラストマー、塩化ビニル系熱可塑性エラストマー、フッ化系熱可塑性エラストマー、イオン架橋系熱可塑性エラストマーなどが挙げられる。耐熱性や低圧縮永久歪みが求められるためシリコーンゴムを用いることが好ましい。なお、後述する磁性導電性粒子の磁場配向により導電部１２を製造する場合には、ベース部１３や島状非導電部１６は、ゴム状弾性体中に磁性導電性粒子が混入している場合もあり得る。
【００２８】
また、島状非導電部１６は、導電性粒子が無く低硬度のゴム状弾性体となっている場合には、その表面に耐久性や滑り性を高める処理をすることとしても良い。例えば島状非導電部１６の表面に、耐摩耗性や滑り性のある塗料やゴム状弾性体を薄く塗布するほか、架橋剤を塗布して表面硬度を高めたり、ハロゲン処理等の薬品処理をしたりすることが可能である。
【００２９】
導電部１２は、ゴム状弾性体中に導電性粒子が連なって形成されたものであり、導電性粒子には導電性のある金属やカーボンを用いることができる。さらに磁性導電性粒子を用いると磁場によって高密度に粒子を配列させて導電性を高めた導電部とすることができる。こうした導電性粒子としては、より具体的には例えば、ニッケル、コバルト、鉄などの強磁性体金属又はそれらを含む合金の粒子や、ニッケル、コバルト、鉄、フェライトなどの強磁性体金属を金、銀、白金、アルミニウム、銅、パラジウム、クロム、ステンレスなどの良導電性金属で被覆した粒子、導電性又は絶縁性の粒子の表面をニッケル、コバルト、鉄などで被覆した粒子、カーボンなどの導電性粒子、樹脂や絶縁性セラミックなどを磁性導電体でめっきした粒子などを挙げることができる。導電性粒子の形状は、球状以外にも繊維状や、細線状、鱗片状などとすることができる。
【００３０】
導電ゴムコネクタ１１を製造するには、導電部１２となる磁性導電性粒子をゴム状弾性体中に磁場配向させる方法を採用することができる。硬化してゴム状弾性体となる液状ゴム中に磁性導電性粒子を分散させた原料組成物Ｌと、図４で示すように、磁性ピンＰを配した上型Ｄａと下型Ｄｂからなる金型Ｄを準備する。そして、この金型Ｄに原料組成物Ｌを注入し（図５）、磁場を印加して液状ゴム中に磁性導電性粒子を磁場配向させる。そして液状ゴムを硬化させることで導電ゴムコネクタ１１を得ることができる（図６）。なお、図４〜図６では３つの導電ゴムコネクタ１１を形成する例を示しており、複数の導電ゴムコネクタ１１の集合体として成形する場合には、脱型後、個々の導電ゴムコネクタ１１に分断する。
【００３１】
次には、曲面接続部１４を形成する上型Ｄａと磁性ピンＰとの関係についてより具体的に説明する。図７（ａ）には曲面接触部１４を形成する部分の上型の一例である上型Ｄａ１を示す。この金型Ｄａ１では曲面接触部１４となるキャビティ（凹部）Ｃの直径が２ｒのときに、そのキャビティＣの中央部分に直径が約ｒの磁性ピンＰ１を設けている。図７（ｂ）にはこの金型Ｄａ１から形成される導電ゴムコネクタ１１ａの曲面接触部１４部分の正面図と平面図を示す。この図７（ｂ）で示すように、金型Ｄａ１から得られる曲面接触部１４は、島状非導電部１６が曲面状表面１４ａの頂点部分にわずかに小さく表れ、その周りに、磁性ピンＰ１の外形の大きさに対応する外周を有する導電部１２が表れる。
【００３２】
また、図８（ａ）には曲面接触部１４を形成する別の上型Ｄａ２を示す。この金型Ｄａ２では曲面接触部１４となるキャビティ（凹部）Ｃの直径が２ｒのときに、そのキャビティＣと同様の大きさとなる直径が２ｒの磁性ピンＰ２を設けている。図８（ｂ）で示すように、この金型Ｄａ２から形成される曲面接触部１４は、島状非導電部１６が曲面状表面１４ａの中央部分に大きく表れ、その周りに、磁性ピンＰ２の外形の大きさに対応する外周を有する導電部１２が表れる。
【００３３】
こうした島状非導電部１６が形成される理由は次のように考えられる。曲面接続部１４を形成するには、この曲面接続部１４に対応して半球状に凹んだキャビティＣを有する上型Ｄａを用いるが、磁性ピンＰもこのキャビティＣに対応するように表面が曲面状に凹んだものを用いることとなる。このように周囲よりも中央部分が凹んだ磁性ピンＰを用いると、磁極（磁性ピン）の中心よりも端部に強い磁力が発生することになる。その結果、磁力の弱い磁性ピンＰの中央部分は導電性粒子の集まりが少なくなり、導電性粒子密度が低い島状非導電部１６が形成されるものと思われる。
【００３４】
上述のように、半球状の曲面接触部１４を備える導電ゴムコネクタ１１において、その半球の半径がｒとすると、その曲面接触部１４に対応する部分の金型に直径ｒ以上２ｒ以下程度の大きさとなる磁性ピンＰを設けた金型Ｄとすることが好ましい。曲面接触部１４に磁場を印加する磁極の直径をｒ以上にすることで、曲面接触部１４の先端頂上に導電性粒子の少ない島状非導電部１６を形成し、その周囲に導電性粒子の多い導電部１２を形成することが容易になる。磁極の直径がｒ未満であると曲面接触部１４の先端頂上にも導電性粒子が集まり、その先端頂上も導電部１２になり易くなり、島状非導電部１６の形成が難しくなる。また、磁極の直径が２ｒを超えると、島状非導電部１６が形成され易くなるものの、曲面接触部１４の範囲を超えて基台部１３ａにまで導電部が形成されるようになるからであり、２ｒ以下とすることで曲面接触部１４の外側に導電部１２が形成されることを防止することができる。
【００３５】
曲面接触部１４の曲面状表面１４ａをドーム状とする場合には、半球状とする場合に比べてその頂部の突出程度が小さいものとなる。そのため、磁性導電性粒子を用いて磁場配向させる場合には、曲面状表面１４ａの頂部部分の磁力の弱まり程度は小さくなり島状非導電部１６が生じ難くなる。そのため、ドーム形状とする場合には、ドーム状曲面接触部１４の底面の半径がｒとすると、その曲面接触部１４に対応する部分の金型には、直径がｒを超える程度の大きさとなる磁性ピンＰを設けた金型Ｄとすることが好ましい。直径の上限は半球状の場合と同じ２ｒ以下である。
【００３６】
磁性導電性粒子を磁場配向させるこうした製造方法によれば、ベース部１３のゴム状弾性体中に導電性粒子が高密度に配置して導通経路となった導電部１２がベース部１３を貫通するように形成できるだけでなく、曲面接触部１４において円環状に導電部１２の表面を表出させることができ、その円環状の内側の先端頂上部分には、導電性粒子が少ない非導電性の島状非導電部１６を形成することができる。さらに上述の製造方法によれば、少ない導電体量で導電率を高めることができ、また柔らかい導電部１２を形成できる点で好ましい。さらに、細く小さな導電部１２を容易に形成することができる点でも好ましい。
【００３７】
次に、導電ゴムコネクタ１１を接続対象部材間に取付ける方法について説明する。一例としては、最初に接続対象部材に対して導電ゴムコネクタ１１の島状非導電部１６を接触させ、次に導電ゴムコネクタ１１を摺動させながらスライドさせて接続対象部材の導電部位に対して導電部１２が接触する位置まで傾かせた（スライド挿入）後、固定する方法である。島状非導電部１６はゴム状弾性体中の導電性粒子が少ないため、接続対象部材に対してスライドさせて摩擦しても導電性粒子が脱落したり、表面が欠けたりすることが起こり難いという利点がある。またこの方法では、図９で示すように、曲面接触部１４と接触する接続対象部材１は導電部１２の配向方向に対して垂直ではなく傾斜した傾斜面として接触させることができる。
【００３８】
接続対象部材を導電部１２の配向方向に対して傾斜させて接触させる場合の傾斜角度は１０度以上４５度以下であることが好ましい。１０〜４５度とすることで導電部１２に対する接続を確実にすることができる。またスライド挿入に限らず、後述の平坦接触部１５と接続対象部材２との固着手段を用いることもできる。なお、図９では導電部１２を導電性粒子の集合体として表している。
【００３９】
一方で、平坦接触部１５側は、回路基板等の接続対象部材２と導電接続される。接続対象部材２上の端子部に導電ゴムコネクタ１１の平坦接触部１５側の導電部１２を合わせて固定配置し、接続対象部材２と導電ゴムコネクタ１１とを一緒に筺体等の接続対象部材１に差し込むことで、接続対象部材１に対してスライド挿入することができる。平坦接触部１５と接続対象部材２との固定配置は、接続対象部材２側に、平坦接触部１５に対応する嵌合部位を形成しておき、平坦接触部１５を接続対象部材２に対して嵌合固着させる方法や、導電部１２の表出面以外に粘着剤や両面テープを付けて接続対象部材２に固着する方法、導電部１２と接続対象部材２の端子部とをハンダ接続する方法などによって行うことができる。
【００４０】
また、導電ゴムコネクタ１１を接続対象部材間に取付ける場合の別の方法としては、最初に接続対象部材に対して導電ゴムコネクタ１１の島状非導電部１６を接触させる点では先の例と同じであるが、次に導電ゴムコネクタ１１を摺動させながらスライドさせるのではなく、図１０で示すように、導電ゴムコネクタ１１の先端を曲げて、接続対象部材の導電部位に対して導電部１２を接触させて固定する方法がある。従来の導電ゴムコネクタでは、導電ゴムコネクタが折り曲げられることは避けるべきであるが、導電ゴムコネクタ１１によれば、折れ曲がっても導電部１２が接続対象部材１に導電接続するため、こうした用い方を採用することもできる。
【００４１】
このように、導電ゴムコネクタ１１では、曲面接触部１４の頂部先端の島状非導電部１６で滑らせて、または基台部１３ａを曲げることで、筺体等の接続対象部材１に対して島状非導電部１６の周囲にある導電部１２の表出部を接触させて電気的接続することができるようになる。
【００４２】
第２実施形態［図１１，図１２］：
本実施形態の導電ゴムコネクタ２１の正面図を図１１に示す。この導電ゴムコネクタ２１は、一方側だけでなく他方側の突出部も曲面接触部１４としている。図１２には、導電ゴムコネクタ２１を接続対象部材１，２の間に挟んだ状態を示す。この図１２で示すように、上側の曲面接触部１４と接触する接続対象部材１だけでなく、下側の曲面接触部１４と接触する接続対象部材２もまた導電部１２の配向方向に対して垂直ではなく傾斜した傾斜面として接触させることができる。
【００４３】
第３実施形態［図１３〜図１５］：
本実施形態の導電ゴムコネクタ３１の正面図を図１３に示す。この導電ゴムコネクタ３１は板状部材３８が一体形成されたものである。板状部材３８は樹脂フィルムや金属板などであり、回路形成されたフレキシブルプリント基板等とすることもできる。板状部材３８は、導電部１２に対して略垂直に設けられるが、一方側から他方側に連なる導電部１２を分断するものではなく、切り欠きや穴を設けて導電部１２を貫通させている。
【００４４】
図１４で示すように、導電性粒子の集合体で形成される導電部１２を複数個有する導電ゴムコネクタ３１ａとすれば、板状部材３８を金属板で形成することでこの金属板の部分も導電部とすることができる。これにより複数の導電部１２を、金属板を通じて導通させることができる。導電ゴムコネクタ３１ａは、例えば図１５で示す接続対象部材３のように、表面に凹凸があって導電部１２との接触を十分に行い難い接続対象部材である場合に、一つの導電部１２が接続対象部材３と導電接続していなくても、他の導電部１２が接続対象部材３と導電接続させることができ、接続対象部材２を接続対象部材３にグランド接続するような用途に用いることができる。
【００４５】
また、板状部材３８がフレキシブルプリント基板等の回路基板であれば、こうした回路基板と一体となった導電ゴムコネクタ３１ａとすることができ、この場合は回路基板上の導電性部位に導電部１２を接触させて導通させることができる。導電ゴムコネクタ３１，３１ａでは、板状部材３８を有するため、スライド挿入し易く、取扱い性に優れている。
【００４６】
上記実施形態は例示であり、本発明の趣旨を逸脱しない範囲で種々の変更を行うことができる。例えば、突出部１４、１５の表面形状は、半球状やドーム形状等の曲面状表面１４ａとすることが好ましいが、これ以外にも半円柱状（かまぼこ形状）等とすることができ、さらには円錐状や円錐台形状、四角錐状等とすることもできる。角部分が多くあると接続対象部材との摺動で摩耗して導電性粒子が脱落しやすくなるが、接続対象部材の形状や接続時の傾斜の程度等により突出部の形状を好適に変更できる。こうした形状にするには、半球状やドーム形状として形成した曲面接触部の表面を削ることで所望の形状に変更できる。
【符号の説明】
【００４７】
１，２，３  接続対象部材
１１，１１ａ，１１ｂ，２１，３１，３１ａ  導電ゴムコネクタ
１２  導電部
１３  ベース部
１３ａ  基台部
１３ｂ  側出部
１４  曲面接触部
１４ａ  曲面状表面
１５  平坦接触部
１５ａ  平坦状表面
１６  島状非導電部
３８  板状部材
Ｐ，Ｐ１，Ｐ２  磁性ピン（磁極）
Ｄ  金型
Ｄａ，Ｄａ１，Ｄａ２  上型
Ｄｂ，Ｄｂ１，Ｄｂ２  下型
Ｌ  原料組成物
Ｃ  キャビティ
【図１】
2018190685.tif 000003
【図２】
2018190685.tif 000004
【図３】
2018190685.tif 000005
【図４】
2018190685.tif 000006
【図５】
2018190685.tif 000007
【図６】
2018190685.tif 000008
【図７】
2018190685.tif 000009
【図８】
2018190685.tif 000010
【図９】
2018190685.tif 000011
【図１０】
2018190685.tif 000012
【図１１】
2018190685.tif 000013
【図１２】
2018190685.tif 000014
【図１３】
2018190685.tif 000015
【図１４】
2018190685.tif 000016
【図１５】
2018190685.tif 000017